(57)【要約】      （修正有）【課題】飲料や酒類等の液体類、つまみ、菓子類、アイスクリーム等が入った缶容器を煩わしさなく、コップやグラスの形態として使用可能な、コップまたはグラスの形態に切り替えられる缶型容器を提供する。【解決手段】コップまたはグラスの形態に切り替えられる缶型容器１０は、上端部には第１の締付部が形成され、下端部は、その面積が次第に広がる漏斗状の収容体１１と、前記収容体の下端部を密封し、リフト‐タブが形成された密閉部材１５と、前記収容体の下端部が前記密閉部材により密封された状態で、前記下端部に締め付けられ、台部材を内蔵する下部キャップ１３と、前記収容体の上端部の第１の締付部が結合される対応締付部が中心に形成され、支えとして用いられるベースを有する台部材１４と、からなり、缶容器がグラスの形態に切り替えられるように具現される。【選択図】図４
2016022973.tif 000002
【特許請求の範囲】
【請求項１】
上端部には第１の締付部が形成され、下端部は、その面積が次第に広がる漏斗状の収容体と、
前記収容体の下端部を密封する密閉部材と、
前記収容体の下端部が前記密閉部材により密封された状態で、前記下端部に締め付けられ、台部材を内蔵する下部キャップと、
前記収容体の上端部の第１の締付部が結合され、前記第１の締付部と対応する対応締付部が中心に形成され、支えとして用いられるベースを有する台部材と、からなる、コップまたはグラスの形態に切り替えられる缶型容器。
【請求項２】
前記下部キャップの内側中心部には、前記台部材の対応締付部と結合される第２の締付部が形成される、請求項１に記載のコップまたはグラスの形態に切り替えられる缶型容器。
【請求項３】
前記下部キャップが除去され、前記台部材の対応締付部と前記収容体の第１の締付部とが結合され、１８０°回転された位置で、コップまたはグラスの形態に切り替えられる、請求項１に記載のコップまたはグラスの形態に切り替えられる缶型容器。
【請求項４】
前記 密閉部材には リフト‐タブが形成される、請求項１に記載のコップまたはグラスの形態に切り替えられる缶型容器。
【請求項５】
内容物が入っており、漏斗状からなる収容体と、
前記収容体の下端部を密封する密閉部材と、
前記収容体の下端部が前記密閉部材により密封された状態で、前記下端部をカバーし、前記収容体の上端部が挟まれ、または締め付けられる対応締付部が中心に形成され、支えとして用いられる下部キャップと、からなる、コップまたはグラスの形態に切り替えられる缶型容器。
【請求項６】
前記収容体の上端部には、締付部が形成され、前記締付部と前記対応締付部は、嵌合締付またはタブ締付で結合される、請求項５に記載のコップまたはグラスの形態に切り替えられる缶型容器。
【請求項７】
前記収容体の下端部と前記下部キャップとの締付は、前記下部キャップの外周縁に所定の間隔で離隔して形成された、一つ以上のクランプにより締め付けられる、請求項５に記載のコップまたはグラスの形態に切り替えられる缶型容器。
【請求項８】
前記 密閉部材には リフト‐タブが形成される、請求項５に記載のコップまたはグラスの形態に切り替えられる缶型容器。
【発明の詳細な説明】
【技術分野】
【０００１】
本発明は、容器に関し、より詳しくは、飲料や酒類等の液体類、つまみ、菓子類、アイスクリーム等が入った缶容器と蓋とを逆に結合し、コップやグラスの形態として使用可能な、コップまたはグラスの形態に切り替えられる缶型容器に関する。
【背景技術】
【０００２】
一般に、容器とは、飲むための飲料や酒等の内容物が入っている容器のことをいう。
【０００３】
容器は、その内部に入る内容物の種類により、様々な形状のものが多様に提案されている。
【０００４】
多くの容器は、飲料や酒等の内容物が入る容器本体と、本体を密閉する蓋とに分けられる。
【０００５】
本体の内部に入った内容物を全部飲むと、容器は、捨てられ、またはリサイクルのために廃棄される。
【０００６】
大韓民国実用新案公開実１９９４‐９９２１号公報には、リサイクル容器が提案されている。
【０００７】
実１９９４‐９９２１号公報に開示されたリサイクル容器は、蓋と、胴体と、胴体を支えるための下部カバーとで構成される。
【０００８】
また、胴体は、切断のための溝を形成してなる。
【０００９】
したがって、容器に入った内容物を飲用するときは、容器の下側に設けられた下部カバーを分離してから、胴体を切断し、切断された胴体の上側部分は、蓋を、密閉された状態、または胴体により塞がった状態で、分離された下部を覆し、その中央部に結合し、コップまたはグラスに代替して用いることである。
【００１０】
従来のリサイクル容器は、容器の一側面に切断線を形成し、容器の低板を分離するという煩わしさがあり、実生活に活用し難く、また、コップを形成するために、低板の内側を加熱して溶かすなどの極めて不便な問題が多くあり、実用化には大きな難しさがあった。
【先行技術文献】
【特許文献】
【００１１】
【特許文献１】ＫＲ１９９４‐０００９９２１  Ａ  １９９４．５．２１．
【発明の概要】
【発明が解決しようとする課題】
【００１２】
本発明は、上記問題点に鑑みなされたものであり、その目的は、容器の構造を改善し、容器に入った内容物を飲むとき、容器を覆し、蓋に結合して、コップとして用いるように、すなわち、他の用途に用いるようにした、コップまたはグラスの形態に切り替えられる容器を提供することにある。
【００１３】
特に、リフト‐タブ（Ｌｉｆｔ‐Ｔａｂ）方式の缶型容器において、容器の形状を変更し、蓋を下部台に転換させることにより、グラス形態の杯に切り替えられる容器を提供することにある。
【課題を解決するための手段】
【００１４】
上述した目的を達成するために、本発明の第１実施例によるコップまたはグラスの形態に切り替えられる缶型容器は、上端部には第１の締付部が形成され、下端部は、その面積が次第に広がる漏斗状の収容体と、前記収容体の下端部を密封し、リフト‐タブが形成された密閉部材と、前記収容体の下端部が前記密閉部材により密封された状態で、前記下端部に締め付けられ、台部材を内蔵する下部キャップと、前記収容体の上端部の第１の締付部が結合される対応締付部が中心に形成され、支えとして用いられるベースを有する台部材と、からなり、缶容器がグラスの形態に切り替えられるように具現される。
【００１５】
ここで、前記下部キャップの内側中心部には、前記台部材の対応締付部と結合される第２の締付部が形成されることが好ましい。
【００１６】
ここで、前記下部キャップが除去され、前記台部材の対応締付部と前記収容体の第１の締付部とが結合され、１８０°回転された位置で、コップまたはグラスの形態に切り替えられる。
【００１７】
また、本発明の第２の実施例によるコップまたはグラスの形態に切り替えられる缶型容器は、内容物が入っており、漏斗状からなる収容体と、前記収容体の下端部を密封し、リフト‐タブが形成された密閉部材と、前記収容体の下端部が前記密閉部材により密封された状態で、前記下端部をカバーし、前記収容体の上端部が挟まれ、または締め付けられる対応締付部が中心に形成され、支えとして用いられる下部キャップと、からなる。
【００１８】
ここで、前記収容体の上端部には、第１の締付部が形成され、前記第１の締付部と前記対応締付部は、嵌合締付またはタブ締付で結合されてもよい。
【００１９】
ここで、前記収容体の下端部と前記下部キャップとの締付は、前記下部キャップの外周縁に所定の間隔で離隔して形成された、一つ以上のクランプにより締め付けられる構造を有する。
【発明の効果】
【００２０】
以上、本発明によると、以下のような効果をもたらす。
第一、容器の構造を改善し、容器に入った内容物を飲む前、容器を覆し、台部材を結合させ、コップに用いるようにし、製品の便宜性を期待することができる。
【００２１】
第二、コップ台を活用して、いつどこでも、容器をコップまたはグラスの形態で用いるようにし、野外での使用便利性を図り、また、旅行中、車または汽車等の車両内での使用が可能であり、旅行場所及スポーツ競技場での使用及び携帯便利性を図ることができる。
【図面の簡単な説明】
【００２２】
【図１】本発明の第１の実施例によるコップまたはグラスの形態に切り替えられる缶型容器を示す斜視図である。
【図２】本発明の第１の実施例によるコップまたはグラスの形態に切り替えられる缶型容器を示す分解断面図である。
【図３】本発明の第１の実施例によるコップまたはグラスの形態に切り替えられる缶型容器の蓋の開放状態を示す斜視図である。
【図４】本発明の第１の実施例によるコップまたはグラスの形態に切り替えられる缶型容器の蓋内の支えを台部材に切り替えた状態を示す斜視図である。
【図５】本発明の第２の実施例によるコップまたはグラスの形態に切り替えられる缶型容器を示す斜視図である。
【図６】本発明の第２の実施例によるコップまたはグラスの形態に切り替えられる缶型容器を示す分解断面図である。
【図７】本発明の第２の実施例によるコップまたはグラスの形態に切り替えられる缶型容器の蓋の開放状態を示す斜視図である。
【図８】本発明の第２の実施例によるコップまたはグラスの形態に切り替えられる缶型容器の蓋内の支えを台部材に切り替えた状態を示す斜視図である。
【発明を実施するための形態】
【００２３】
以下、添付した図面に基づき、本発明によるコップまたはグラスの形態に切り替えられる缶型容器の構造及び作用効果について説明する。
【００２４】
本発明によるコップまたはグラスの形態に切り替えられる缶型容器は、飲料や酒等の液体類を入れた容器であってもよく、アイスクリームが入った容器であってもよく、また、つまみ類や菓子類等の固体が入った容器であってもよい。後述される容器は、飲料や酒等の液体類を入れた容器を挙げて説明するが、その他の内容物である場合も、同一の構成または効果を有する。
【００２５】
また、本発明の容器は、リフト‐タブ方式で開封される缶容器をその対象とする。
【００２６】
第１及び第２の締付突起部は、第１及び第２の締付部として、締付部の構造を突起のある形態で形成した具体例であり、第１及び第２の締付突起部と対応して結合される締付溝部は、対応締付部の構造を溝の形態で形成した具体例である。したがって、第１及び第２の締付突起部、締付溝部は、それぞれ締付部として通称されてもよい。
【００２７】
図１は、本発明の第１の実施例によるコップまたはグラスの形態に切り替えられる缶型容器を示す斜視図であり、図２は、本発明の第１の実施例によるコップまたはグラスの形態に切り替えられる缶型容器を示す分解断面図であり、図３は、本発明の第１の実施例によるコップまたはグラスの形態に切り替えられる缶型容器の蓋の開放状態を示す斜視図であり、図４は、本発明の第１の実施例によるコップまたはグラスの形態に切り替えられる缶型容器の蓋内の支えを台部材に切り替えた状態を示す斜視図である。
【００２８】
図１乃至図４に示すように、本発明の第１の実施例によるコップまたはグラスの形態に切り替えられる容器１０は、内容物である飲料や酒等の液体類が入った収容体１１と、収容体１１の上端に形成される第１の締付突起部１２と、収容体１１の下端を密封する下部キャップ１３と、支えの機能をする台部材１４と、からなる。
【００２９】
収容体１１は、注入口が小さく、下部側に行くほど外形が大きくなる漏斗状を有し、金属材からなってもよく、開封状態前は、図１のように漏斗状を覆した形状を有する。
【００３０】
一般に、缶型容器は、上下端の直径が同一な円筒状からなるが、本発明では、缶を覆し、支えを結合させることにより、缶がグラスの形態を取るようにするためである。
【００３１】
収容体１１の下端部は、開口した状態を有し、密閉部材１５によりシールされた状態で、下部キャップ１３が締付けられ、または挟まれ、下部キャップ１３の内部には、台部材１４が内蔵されたまま結合される。
【００３２】
第１の締付突起部１２は、外周縁にタブまたは突起１２ａが形成されてもよく、台部材１４の締付溝部１４ａとの結合により、グラスに切り替えられるようにする。
【００３３】
下部キャップ１３は、収容体１１の下端部に結合されるものであって、螺子タブの方式であり、または突起と溝の結合方式を採用してもよく、または傾斜段を形成させ、セルフロックされる方式で結合されてもよい。
【００３４】
下部キャップ１３の内部には、収容体１１の支えとして用いられる台部材１４が内臓され、収容体１１の締付溝部１４ａと結合される第２の締付突起部１３ａが中心部に形成され、第２の締付突起部１３ａから延長形成されるカバー部材１３ｂからなる。
【００３５】
台部材１４は、容器からコップの形態に切り替えられたとき、コップの支えの役割をし、コップまたはグラスの形態に切り替えられる容器１０の未開放状態では、下部キャップ１３の内部に内蔵されて固定された状態となる。
【００３６】
このとき、固定を維持するために、下部キャップ１３の中心部には、第２の締付突起部１３ａが形成され、台部材１４の中心部には、締付溝部１４ａが形成される。
【００３７】
台部材１４は、プラスチック材や金属材からなり、締付溝部１４ａと支えの役割をするベース１４ｂとを含む。
【００３８】
第２の締付突起部１３ａと締付溝部１４ａの締付方式は一例であり、多様な形態、すなわち、嵌合方式や螺子タブ結合方式等が適用されてもよい。
【００３９】
密閉部材１５は、収容体１１の下端部にシール接着され、内部の飲料や酒類が漏れないようにする。
【００４０】
ここで、密閉部材１５は、金属缶（ビール缶や飲料缶）に適用されるリフト‐タブ方式が適用される構造を有する。
【００４１】
収容体１１の第１の締付突起部１２と下部キャップ１３の第２の締付突起部１３ａは、その形状が同一であり、台部材１４の締付溝部１４ａは、第１及び第２の締付突起部１２、１３ａに対応する形状を有する。
【００４２】
これに対して、台部材１４の締付溝部１４ａを締付突起部に代替可能であり、このときは、第１及び第２の締付突起部１２、１３ａが第１及び第２の締付溝部として形成される。
【００４３】
上述した第１及び第２の締付突起部１２、１３ａは、第１及び第２の締付部として、締付溝部１４ａは、対応締付部として通称されてもよく、対応締付部と、それぞれ第１及び第２の締付部と互いに結合され、対応締付部の形態の雌雄構造の形態により、第１及び第２の締付部は、その反対である雄雌構造の締付構造を形成する。
【００４４】
好ましくは、台部材１４は、隆起した部分１４ｃの中心に締付溝部１４ａを有する形態（図２参照）を有してもよく、これにより、下部キャップ１３は、これに対応するように隆起した部分が結合される、その隆起した部分１４ｃの形状をそのまま収容可能な侵食された部分が形成され、締付溝部１４ａが結合される第２の締付突起部１３ａが形成される。
【００４５】
このような構成を有する本発明の飲料や酒類容器の使用過程について図１乃至図４を参照して説明する。
【００４６】
先ず、飲料や酒類が入った容器１０は、図１のような状態にある。
この状態で、図３のように、飲料や酒類容器１０を１８０°覆した状態で下部キャップ１３を開放する。
【００４７】
下部キャップ１３を開放すると、下部キャップ１３に固定された台部材１４が抜出可能な状態となる。
【００４８】
その後、台部材１４を図４のように収容体１１の注入口側、すなわち、第１の締付突起部１２を締付溝部１４ａに挟み、支えとして機能するようにする。
【００４９】
このとき、飲用のために密閉部材１５を外すと、内部の飲料や酒類が入った状態で飲用可能なコップやグラスの形態を有するようになる。
【００５０】
このようにすると、容器を携帯するだけで、容器をコップとして活用することができるので、携帯が簡便であり、野外や車両内のどこでも、飲用し易い常態となる。
【００５１】
図示例では、収容体の形状を円形としたが、三角形、四角形、または五角形またはそれ以上の多角形の形状で構成してもよい。
【００５２】
図５は、本発明の第２の実施例によるコップまたはグラスの形態に切り替えられる缶型容器を示す斜視図であり、図６は、本発明の第１の実施例によるコップまたはグラスの形態に切り替えられる缶型容器を示す分解断面図である。図７は、本発明の第１の実施例によるコップまたはグラスの形態に切り替えられる缶型容器の蓋の開放状態を示す斜視図であり、図８は、本発明の第１の実施例によるコップまたはグラスの形態に切り替えられる缶型容器の蓋内の支えを台部材に切り替えた状態を示す斜視図である。
【００５３】
図５乃至図８に示すように、本発明の第２の実施例によるコップまたはグラスの形態に切り替えられる容器２０は、内容物である飲料や酒等の液体類が入った収容体２１と、収容体２１の上端に形成される第１の締付突起部２２と、収容体２１の下端を密封し、支えの機能をする下部キャップ２３と、からなる。
【００５４】
本発明の第２の実施例は、第１の実施例と比較して、台部材１４が別個として構成されていない。
【００５５】
すなわち、第２の実施例においては、第１の実施例の台部材１４の機能を下部キャップ２３が行うようになる。
【００５６】
図６を参照すると、下部キャップ２３は、中心部に締付溝部２３ａが形成され、締付溝部２３ａには、直接締付突起部２２が挟まれ、またはタブ締付される。
【００５７】
下部キャップ２３を台部材として用いながら、その外的デザインを考慮し、コップやグラスの形態に切り替えられるとき、台部の形状をそのまま表現するために、３〜４箇所にクランプを形成させ、ベース２３ｂの部分は薄く形成させる。
【００５８】
収容体２１の下端部は、密閉部材２５で密閉され、リフト‐タブ方式により開放されるように構成され、最下端部の外郭線には、外側に突出したクランプ締付段２１ａが形成される。
【００５９】
クランプ締付段２１ａは、下部キャップ２３のクランプ２３ｃがそれぞれ締め付けられる部分である。クランプ２３ｃは、固定された部分を基準として、左右若干の撓みを有する弾性があり、クランプ締付段２１ａにセルフロック方式で締付が可能であり、また分離可能に構成される。
【００６０】
上述のように、コップまたはグラスの形態に切り替えられる容器の構造を改善し、容器に入った内容物を飲む前、容器を覆し、台部材を結合させ、コップとして用いるようにし、製品の便宜性を期待することができ、飲料容器をコップとして用いるようにし、野外での使用便利性を図り、また、旅行中、車または汽車等の車両内での使用が可能であり、旅行場所及スポーツ競技場での使用及び携帯便利性を図ることができる。
【００６１】
以上、詳述した本発明は、たとえ限定された実施例と図面に基づいて説明したが、本発明は、これに限定されず、本発明の属する技術の分野における通常の知識を有する者にとって、本発明の技術思想と特許請求の範囲の均等範囲内における多様な修正及び変形が可能である。
【００６２】
しかしながら、そのような単純な修正及び変形は、本発明の権利範囲を外れてはならないことが明らかである。
【符号の説明】
【００６３】
１０、２０    容器
１１、２１    収容体
１２    第１の締付突起部（または締付溝部）
１２ａ、１３ｃ    突起
１３、２３    下部キャップ
１３ａ    第２の締付突起部（または締付溝部）
１３ｂ    カバー部材
１４    台部材
１４ａ、２３ａ    締付溝部（または締付突起部）
１４ｂ    ベース
１４ｃ    隆起した部分
１５、２５    密閉部材
１５ａ    リフト‐タブ
２１ａ    クランプ締付段
２２    締付突起部（または締付溝部）
２３ｂ    ベース
２３ｃ    クランプ
【図１】
2016022973.tif 000003
【図２】
2016022973.tif 000004
【図３】
2016022973.tif 000005
【図４】
2016022973.tif 000006
【図５】
2016022973.tif 000007
【図６】
2016022973.tif 000008
【図７】
2016022973.tif 000009
【図８】
2016022973.tif 000010